(57)【要約】【課題】  車両の走行している車線を高い精度で認識することができる、路車間通信システム、及び、路車間通信システムの車線番号認識方法とこれに用いる光ビーコンを提供する。【解決手段】  本発明の路車間通信システムは、道路Ｒを走行する車両Ｃの車載機２と、道路Ｒ上の各車線Ｒ１〜Ｒ４に対応したビーコンヘッド８を有する光ビーコン４と、ビーコンヘッド８に対応する車線それぞれに設けた感知領域Ｋにおいて車両Ｃを感知したことに応じて車両感知信号を光ビーコン４に送信する車両感知器５とを備えている。また、光ビーコン４は、前記車両感知信号に基づいて車両Ｃが感知された車線の番号である感知車線番号を取得する感知車線番号取得部と、同一の車両ＩＤを含むアップリンク情報がビーコンヘッド８で受信されたときに、前記アップリンク情報を受信したビーコンヘッド８に対応する車線番号の中から、前記感知車線番号と同一の車線番号を選択し、この選択された車線番号を前記車両ＩＤに対応付ける選択部とを備えている。【選択図】      図２
2008140121.tif 000002
【特許請求の範囲】
【請求項１】
道路を走行する車両の車載機と、前記道路上の異なる車線に対応して配置された少なくとも２つの投受光器を有する光ビーコンとを備え、前記各投受光器は、対応する車線に設けられた所定範囲の通信領域において前記車載機が送信するアップリンク情報を受信するものであり、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する路車間通信システムであって、
前記投受光器に対応する車線それぞれに設けた感知領域において前記車両を感知したことに応じて車両感知信号を前記光ビーコンに送信する車両感知器をさらに備え、
前記光ビーコンは、前記車両感知信号に基づいて前記車両が感知された車線の番号である感知車線番号を取得する感知車線番号取得部と、同一の車両ＩＤを含むアップリンク情報が複数の投受光器で受信されたときに、前記アップリンク情報を受信した複数の投受光器に対応する車線番号の中から、前記感知車線番号と同一の車線番号を選択し、この選択された車線番号を前記車両ＩＤに対応付ける選択部と、を備えていることを特徴とする路車間通信システム。
【請求項２】
前記車両感知器の感知領域は、前記通信領域の上流端よりも上流側に設定されている請求項１に記載の路車間通信システム。
【請求項３】
前記車両感知器の感知領域は、前記通信領域内に設定されている請求項１に記載の路車間通信システム。
【請求項４】
前記車両感知器は、検知対象が発する赤外線をパッシブに検出して車両を感知する赤外線感知方式のものである請求項１〜３のいずれか１項に記載の路車間通信システム。
【請求項５】
前記赤外線感知方式の車両感知器の感知センサが、前記道路の上方に配置された前記光ビーコンの投受光器の筺体に収納されている請求項４に記載の路車間通信システム。
【請求項６】
道路上の少なくとも２つの車線に対応して所定範囲が通信領域とされ、この通信領域で車載機が送信するアップリンク情報を前記各車線に配置された光ビーコンの複数の投受光器によって受信し、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する路車間通信システムの車線番号認識方法であって、
同一の車両ＩＤを含むアップリンク情報が複数の投受光器で受信されたときに、当該アップリンク情報を受信した前記複数の投受光器に対応する車線番号の中から、各車線に対応して感知領域が設定された車両感知器によって車両の通過が感知された車線番号と同一の車線番号を選択し、この選択された車線番号を当該車両ＩＤに対応付けることを特徴とする車線番号認識方法。
【請求項７】
道路上の少なくとも２つの車線に対応して配置され、その対応する車線の所定範囲に車両の車載機からのアップリンク情報を受信する通信領域を設定する複数の投受光器を有し、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する光ビーコンであって、
前記各車線に対応して感知領域を有し車両の通過を車線ごとに感知する車両感知器からの車両感知信号に基づいて車両が感知された車線の車線番号である感知車線番号を取得する感知車線番号取得部と、
同一の車両ＩＤを含むアップリンク情報が複数の投受光器で受信されたときに、当該アップリンク情報を受信した複数の投受光器に対応する車線番号の中から、前記感知車線番号と同一の車線番号を選択し、この選択された車線番号を当該車両ＩＤに対応付ける選択部と、を備えていることを特徴とする光ビーコン。
【発明の詳細な説明】
【技術分野】
【０００１】
本発明は、道路側に設置した光ビーコンと車両に搭載された車載機との間で光信号による双方向通信を行う、路車間通信システム、及び、路車間通信システムの車線番号認識方法とこれに用いる光ビーコンに関するものである。
【背景技術】
【０００２】
路車間通信システムを利用した交通情報サービスとして、光ビーコン、電波ビーコン又はＦＭ多重放送を用いたいわゆるＶＩＣＳ（Vehicle Information and Communication System）が既に展開されている。このうち、光ビーコンは近赤外線を通信媒体とした光通信を採用しており、車載機との双方通信が可能となっている。
具体的には、車両の保持するビーコン間の旅行時間情報等を含むアップリンク情報が車載機からインフラ側の光ビーコンに送信され、逆に、渋滞情報、区間旅行時間情報、事象規制情報及び車線通知情報等を含むダウンリンク情報が光ビーコンから車載機に送信されるようになっている（例えば、特許文献１参照）。
【０００３】
上記光ビーコンは、車載機の間で双方向通信を行うビーコンヘッド（投受光器）を備えており、この投受光器は、ダウンリンク情報を送出する発光ダイオード（ＬＥＤ）と、車載機からのアップリンク情報を受信するフォトセンサとを備えている。
例えば図３に示すように、光ビーコン４のビーコンヘッド８は、その直下よりも上流側よりに通信領域Ａが設定されている。光ビーコン（光学式車両感知器）４の「近赤外線式インタフェース規格」によれば、アップリンク領域ＵＡは、ダウンリンク領域ＤＡの車両進行方向の上流部分（図３の右側部分）と重複しており、ダウンリンク領域ＤＡとアップリンク領域ＵＡの上流端は互いに一致するものとされている。従って、ダウンリンク領域ＤＡの車両進行方向長さは通信領域Ａ全体の同方向長さと一致する。
【０００４】
【特許文献１】特開２００５−２６８９２５号公報（図１）
【発明の開示】
【発明が解決しようとする課題】
【０００５】
複数車線を有する道路において、各車線それぞれに配置された光ビーコンは、ダウンリンクの切り替え前の第一情報として、車線通知情報（車両ＩＤ、車線番号無し）を含む第一のダウンリンク情報を道路の各車線のダウンリンク領域に所定の送信周期で常時送信している。
ある車線のダウンリンク領域を車両が通過すると、その車両に搭載された車載機の投受光器（車載ヘッド）が第一のダウンリンク情報を受信し、当該車載機は、自己の車両ＩＤを格納した車線通知情報を含むアップリンク情報の送信を開始する。
【０００６】
その後、上記アップリンク情報を光ビーコンの投受光器が受信すると、光ビーコンは、車載機に対して具体的な情報をダウンリンクの切り替え後の第二情報として、上記車両ＩＤに車両が通過している車線番号が対応付けられた車線通知情報を含む第二のダウンリンク情報の送信を開始し、この第二のダウンリンク情報の送信を所定時間内において可能な限り繰り返す。車載機は、第二のダウンリンク情報を受信し、当該第二のダウンリンク情報に含まれる車線通知情報の中に、前記車線番号が対応付けられた自己の車両ＩＤが格納されていることを確認することで、当該第二のダウンリンク情報が自身に対して送信されている情報であることを認識するとともに、当該車両が複数車線の内のどの車線を走行しているのかを認識することができる。
【０００７】
上記のような複数車線を有する道路において、ある車線（第一車線）を走行している車両の車載機が、車両ＩＤを含む車線通知情報を格納したアップリンク情報を送信した際に、当該車両が走行する車線（第一車線）のビーコンヘッドの他、車両が走行する車線以外の車線（第二車線）のビーコンヘッドにもアップリンク情報が届いてしまう場合がある。
上記のような現象は、例えば、車載機の発光部から発光されるアップリンク光の拡散角度が比較的大きく設定されている場合に生じたり、隣接車両等の外的要因によってアップリンク光が反射することによって生じたり、車両が車線の中央を走行するのではなく、車線の端を白線に近づいて走行しているような場合（第二車線側に寄った状態で第一車線を走行している場合）に起こりうる現象である。
【０００８】
上記のように、一の車載機からのアップリンク情報を複数の投受光器が受信した場合、上記規格によれば、光ビーコンは、第一車線の車線番号が対応付けられた当該車載機の車両ＩＤと、第二車線の車線番号が対応付けられた同じ車両ＩＤと、を車線通知情報の中に格納し、第二のダウンリンク情報として送信するものとされている。
この場合、第二のダウンリンク情報内の車線通知情報には、異なる車線番号が対応付けられた２つの当該車両の車両ＩＤが存在しているので、第二のダウンリンク情報を受信した車載機は、車線通知情報内の自身の車両ＩＤを確認することはできるが、自身が走行している車線を特定することができない。
上記のように車載機が車線を誤って認識してしまうと、前記路車間通信システムを利用してドライバの運転支援を行う上で、適切な車線にドライバを誘導することができなくなるという問題が生じる。
【０００９】
本発明はこのような事情に鑑みてなされたものであり、車両の走行している車線を高い精度で認識することができる、路車間通信システム、及び、路車間通信システムの車線番号認識方法とこれに用いる光ビーコンを提供することを目的とする。
【課題を解決するための手段】
【００１０】
上記目的を達成するための本発明は、道路を走行する車両の車載機と、前記道路上の異なる車線に対応して配置された少なくとも２つの投受光器を有する光ビーコンとを備え、前記各投受光器は、対応する車線に設けられた所定範囲の通信領域において前記車載機が送信するアップリンク情報を受信するものであり、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する路車間通信システムであって、前記投受光器に対応する車線それぞれに設けた感知領域において前記車両を感知したことに応じて車両感知信号を前記光ビーコンに送信する車両感知器をさらに備え、前記光ビーコンは、前記車両感知信号に基づいて前記車両が感知された車線の番号である感知車線番号を取得する感知車線番号取得部と、同一の車両ＩＤを含むアップリンク情報が複数の投受光器で受信されたときに、前記アップリンク情報を受信した複数の投受光器に対応する車線番号の中から、前記感知車線番号と同一の車線番号を選択し、この選択された車線番号を前記車両ＩＤに対応付ける選択部と、を備えていることを特徴としている。
【００１１】
上記のように構成された路車間通信システムによれば、同一の車両ＩＤを含むアップリンク情報が複数の投受光器で受信されると、前記感知車線番号取得部により取得された感知車線番号と同一の車線番号を選択し、この選択された車線番号を当該車両ＩＤに対応付けるので、感知領域に車両が存在、又は感知領域を車両が通過していない車線番号は、車両ＩＤに対応付けられることがない。このため、車両が実際に走行している車線番号のみを車両ＩＤに対応付けた車線通知情報を得ることができる。よって、この車線通知情報を含むダウンリンク情報を受信した車載機は、自身の走行している車線を誤認することなく、より高い精度で認識することができる。
【００１２】
また、前記車両感知器の感知領域は、少なくとも通信領域の下流端よりも上流側に設定されていればよいが、通信領域の上流端よりも上流側に設定されている場合には、光ビーコンは、車載機からのアップリンク情報を受信する前に、車両感知器からの車両感知信号を受信できるので、車両が通過した車線の車線番号を予め認識できる。すなわち、光ビーコンは、車両が位置する車線の車線番号を認識した後にアップリンク情報を受信し、ダウンリンク情報を生成するので、確実に車両感知器の車両感知信号をダウンリンク情報に反映させることができる。
また、車両感知器の感知領域が前記通信領域内に設定されている場合には、受信したアップリンク情報を送信した車両が当該通信領域内に存在しているか否かを判断できるので、より高い精度で、アップリンク情報を送信した車両が走行している走行車線を認識することができる。
【００１３】
本発明の路車間通信システムにおいて、車両感知器としては、例えば、超音波感知方式のものや、検知対象が発する赤外線をパッシブに検出して車両を感知する赤外線感知方式のものを採用することができる。
この点、前者の超音波感知方式の場合には、車両を斜め方向から検出できないため、車両のほぼ真上に設置する必要があり、センサがアクティブあるため消費電力が大きいという欠点がある。これに対して、後者の赤外線感知方式の場合には、車両を斜め方向からでも検出できるため、設置場所の制約が少なく、センサがパッシブであるため消費電力が小さいという利点がある。
【００１４】
上記のように、赤外線感知方式の車両感知器の場合には、車両を斜め方向からでも検出できることから、その車両感知器の感知センサを、道路の上方に配置された光ビーコンの投受光器の筐体に収納させることもできる。
この場合、車両感知器の感知センサと投受光器の投受光センサ（ＬＥＤやフォトダイオード）を一つの筐体に纏めて収納できるので、車両感知器の感知センサを設置するための専用の支柱や梁を設ける必要がなく、システムを安価に構成できるという利点がある。
【００１５】
本発明の路車間通信システムの車線番号認識方法は、道路上の少なくとも２つの車線に対応して所定範囲が通信領域とされ、この通信領域で車載機が送信するアップリンク情報を前記各車線に配置された光ビーコンの複数の投受光器によって受信し、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する路車間通信システムの車線番号認識方法であって、同一の車両ＩＤを含むアップリンク情報が複数の投受光器で受信されたときに、当該アップリンク情報を受信した前記複数の投受光器に対応する車線番号の中から、各車線に対応して感知領域が設定された車両感知器によって車両の通過が感知された車線番号と同一の車線番号を選択し、この選択された車線番号を当該車両ＩＤに対応付けることを特徴としている。
【００１６】
上記のように構成された車線番号認識方法によれば、同一の車両ＩＤを含むアップリンク情報が複数の投受光器で受信されると、車両感知器によって車両の通過が感知された感知車線番号と同一の車線番号を選択し、この選択された車線番号を当該車両ＩＤに対応付けるので、感知領域に車両が存在、又は感知領域を通過していない車線番号は、車両ＩＤに対応付けられることがない。このため、車両が実際に走行している車線番号のみを車両ＩＤに対応付けた車線通知情報を得ることができる。よって、この車線通知情報を含むダウンリンク情報を受信した車載機は、自身の走行している車線を誤認することなく、より高い精度で認識することができる。
【００１７】
また、本発明のビーコンは、道路上の少なくとも２つの車線に対応して配置され、その対応する車線の所定範囲に車両の車載機からのアップリンク情報を受信する通信領域を設定する複数の投受光器を有し、前記アップリンク情報を受信した投受光器に対応する車線の車線番号と前記アップリンク情報に含まれる車両ＩＤとを対応付けた車線通知情報を含むダウンリンク情報を前記投受光器から前記車載機に対して送信する光ビーコンであって、前記各車線に対応して感知領域を有し車両の通過を車線ごとに感知する車両感知器からの車両感知信号に基づいて車両が感知された車線の車線番号である感知車線番号を取得する感知車線番号取得部と、同一の車両ＩＤを含むアップリンク情報が複数の投受光器で受信されたときに、当該アップリンク情報を受信した複数の投受光器に対応する車線番号の中から、前記感知車線番号と同一の車線番号を選択し、この選択された車線番号を当該車両ＩＤに対応付ける選択部と、を備えていることを特徴としている。
【００１８】
上記のように構成されたビーコンによれば、同一の車両ＩＤを含むアップリンク情報が複数の投受光器で受信されると、感知車線番号取得部により取得された感知車線番号と同一の車線番号を選択し、この選択された車線番号を当該車両ＩＤに対応付けるので、感知領域に車両が存在、又は感知領域を通過していない車線番号は、車両ＩＤに対応付けられることがない。このため、車両が実際に走行している車線番号のみを車両ＩＤに対応付けた車線通知情報を得ることができる。よって、この車線通知情報を含むダウンリンク情報を受信した車載機は、自身の走行している車線を誤認することなく、より高い精度で認識することができる。
【発明の効果】
【００１９】
以上のように、本発明によれば、自車両の走行している走行車線をより高い精度で認識することができる。
【発明を実施するための最良の形態】
【００２０】
次に、本発明の好ましい実施形態について添付図面を参照しながら説明する。図１〜図７は、本発明の第一実施形態の路車間通信システムを示している。
〔システムの全体構成〕
図１は、光ビーコンを含む路車間通信システムの全体構成を示すブロック図である。
図１に示すように、この路車間通信システムは、インフラ側の交通管制システム１と、道路Ｒを走行する各車両Ｃに搭載された車載機２とから構成されている。
【００２１】
交通管制システム１は、管制室に設けられた中央装置３と、道路Ｒの各所に多数設置された光ビーコン（光学式車両感知器）４と、道路Ｒにおける光ビーコン４の上流側に配置された車両感知器５とから構成されている。光ビーコン４は、近赤外線を通信媒体とした光通信によって車載機２との間で双方向通信を行う。なお、中央装置３は交通管制室に設けられている。
【００２２】
〔光ビーコンの構成〕
光ビーコン４は、電話回線等の通信回線３Ａを介して中央装置３と接続された通信インタフェースである通信部６と、この通信部６が接続されたビーコン制御機７と、この制御機７のセンサ用インタフェースに接続された複数（図例では４つ）のビーコンヘッド（投受光器）８とを備えている。
各ビーコンヘッド８は、筐体９の内部に発光ダイオード（ＬＥＤ）１０、フォトセンサ１１を収納して構成されている（図３参照）。このうち、ＬＥＤ１０は、近赤外線よりなるダウンリンク情報を後述する通信領域Ａに発光し、フォトセンサ１１は、車載機２からの近赤外線よりなるアップリンク情報を受光する。
【００２３】
図２は、上記光ビーコン４及び車両感知器５の平面図である。
図２に示すように、本実施形態の光ビーコン４は、同じ方向の複数（図例では４つ）の車線Ｒ１〜Ｒ４を有する道路Ｒに設置されており、各車線Ｒ１〜Ｒ４に対応して設けられた前記複数のビーコンヘッド（投受光器）８と、これらのヘッド８を一括制御する制御部である一台の前記ビーコン制御機７とを備えている。
上記ビーコン制御機７は、ＣＰＵ、メモリ（ＲＡＭ）及び記憶装置（ＲＯＭ）を有するマイコンにより構成されており、通信部６による中央装置３との双方向通信と、ビーコンヘッド８による車載機２との路車間通信を行う通信制御を行う。なお、このビーコン制御機７による路車間通信の内容については後述する。
【００２４】
ビーコン制御機７は、道路脇に立設した支柱１３に設置されており、各ビーコンヘッド８は、支柱１３から道路Ｒ側に水平に架設した架設バー１４に取り付けられ、道路Ｒの各車線Ｒ１〜Ｒ４の直上に配置されている。
各ビーコンヘッド８のＬＥＤ１０は、各車線Ｒ１〜Ｒ４の直下よりも上流側に向けて近赤外線を発光しており、これにより、車載機２との間で路車間通信を行うための通信領域Ａが当該ヘッド８の上流側に設定されている（図３参照）。
また、ビーコン制御機７は、所定の各機能を実行するプログラムを記憶装置に格納しており、このプログラムが実行する機能部として、同一ＩＤ判断部７ａ、記憶部７ｂ、感知車線番号取得部７ｃ、及び選択部７ｄを備えている（図４参照）。なお、これらの各機能部７ａ〜７ｄの処理内容については後述する。
【００２５】
〔車両感知器の構成〕
前記車両感知器５は、アップリンク領域ＵＡの領域内における車両Ｃの存在を感知して、その車両感知信号ｓ１〜ｓ４をビーコン制御機７に送信するものであり、各車線Ｒ１〜Ｒ４に対応して設けられた複数の感知センサ１５と、これらのセンサ１５を一括制御する制御部である一台のセンサ制御機１６とを備えている。
センサ制御機１６は、道路脇でかつ通信領域Ａの下流側よりの位置に立設した支柱１７に設置されており、各感知センサ１５は、支柱１７から道路Ｒ側に水平に架設した架設バー１８に取り付けられ、道路Ｒの各車線Ｒ１〜Ｒ４の直上に配置されている。
【００２６】
車両感知器５の感知センサ１５は、超音波を路面に向けて間欠的に発射する超音波送受器よりなり、車両Ｃからの反射波と路面からの反射波を比較して、車両Ｃの存在を感知するものである。
この感知センサ１５は、各車線Ｒ１〜Ｒ４の直下に向けて超音波を送出しており、これにより、前記通信領域Ａ内におけるやや上流側よりの位置に、当該感知センサ１５の感知領域Ｋが配置されている（図２及び図３参照）。車線Ｒ１〜Ｒ４ごとに設けられた各感知センサ１５は、各車線Ｒ１〜Ｒ４に対応する感知領域Ｋを車両Ｃが通過することで、当該車両Ｃの存在を感知する。
【００２７】
図１を参照して、上記センサ制御機１６は、ＣＰＵ、メモリ（ＲＡＭ）及び記憶装置（ＲＯＭ）を有するマイコンにより構成されており、光ビーコン４のビーコン制御機７と通信線１９を介して信号伝送可能に接続されている。もっとも、センサ制御機１６はビーコン制御機７に対して無線方式で信号を送信するものであってもよい。
このセンサ制御機１６は、各感知センサ１５の直下に車両Ｃが存在する場合にＯＮの信号（車両感知信号ｓ１〜ｓ４）をビーコン制御機７に送信し、存在しない場合にはＯＦＦの信号を送信する。そして、センサ制御機１６は、車線Ｒ１〜Ｒ４ごとに設けられた複数の感知センサ１５のうちいずれか１つが車両Ｃを感知すると、その車線Ｒ１〜Ｒ４にそれぞれ対応した車両感知信号ｓ１〜ｓ４をビーコン制御機７に送信するようになっている。
【００２８】
〔通信領域と感知領域〕
図３は、光ビーコン４の通信領域Ａと車両感知器５の感知領域Ｋの位置関係を示す側面図である。
図３に示すように、光ビーコン４の通信領域Ａは、車載機２の投受光器である車載ヘッド（図４参照）２７がダウンリンク情報を受信することができるダウンリンク領域（図３において実線のハッチングを設けた領域）ＤＡと、光ビーコン４のビーコンヘッド８がアップリンク情報を受信することができる所定範囲の通信領域としてのアップリンク領域（図３において破線のハッチングを設けた領域）ＵＡとからなる。
【００２９】
光ビーコン（光学式車両感知器）４の「近赤外線式インタフェース規格」では、アップリンク領域ＵＡは、ダウンリンク領域ＤＡの車両進行方向の上流部分（図３の右側部分）と重複しており、ダウンリンク領域ＤＡとアップリンク領域ＵＡの上流端ｃは互いに一致している。従って、ダウンリンク領域ＤＡの車両進行方向長さは通信領域Ａ全体の同方向長さと一致する。
また、上記規格では、ダウンリンク領域ＤＡとアップリンク領域ＵＡの正式な位置及び大きさが規定されており、図３において、この規格に適った正式なダウンリンク領域ＤＡ（通信領域Ａ）は△ｄａｃで表示され、正式なアップリンク領域ＵＡは△ｄｂｃで表示されている。
【００３０】
上記規格によれば、一般道向けの光ビーコン４の場合で、ダウンリンク領域ＤＡの正式な下流端ａは、ビーコンヘッド８の直下の１．０〜１．３ｍ上流側に位置し、ダウンリンク領域ＤＡの正式な下流端ａからアップリンク領域ＵＡの正式な下流端ｂまでの距離は２．１ｍと規定されている。また、アップリンク領域ＵＡの正式な下流端ｂから同領域ＵＡの正式な上流端ｃまでの距離は１．６ｍと規定されている。この場合、正式な通信領域Ａの車両進行方向の全長（ａｃ間の長さ）は３．７ｍとなる。
【００３１】
本実施形態では、車両感知器５の感知センサ（領域内センサ）１５の感知領域Ｋがアップリンク領域ＵＡ内に設定されている。従って、この感知センサ（領域内センサ）１５による車両感知信号ｓ１〜ｓ４は、車両Ｃがアップリンク領域ＵＡに進入したことを意味する。
【００３２】
〔車載機及び車両の構成〕
図４は、光ビーコン４、及び、これと路車間通信する車載機２が搭載された車両Ｃの概略構成図である。
図４に示すように、この車両Ｃは、ドライバの搭乗席（図示せず）を有する車体２１と、この車体２１に搭載された前記車載機２と、車両Ｃの各部を統合制御する電子制御装置（ＥＣＵ）２２と、車体２１を駆動するエンジン２３と、車体２１を制動するブレーキ装置２４と、車両Ｃの現時の速度を常時検出している速度検出器２５とを備えている。ＥＣＵ２２は、ドライバのアクセル操作に基づくエンジン２３の駆動制御や、ブレーキ操作に基づく制動制御等、車両Ｃに対する各種の制御を行う。
【００３３】
車載機２は、車載コンピュータ２６と、このコンピュータ２６のセンサ用インタフェースに接続された車載ヘッド（投受光器）２７と、搭乗席のドライバに対するヒューマンインタフェースとしてのディスプレイ２８及びスピーカ装置２９とを備えている。
上記車載ヘッド２７は、光ビーコンの投受光器８と同様に、発光ダイオード（ＬＥＤ）とフォトセンサを備えている（図示せず）。このうち、ＬＥＤは、近赤外線よりなるアップリンク情報を発光し、フォトセンサは、通信領域Ａに発光された近赤外線よりなるダウンリンク情報を受光する。
【００３４】
車載コンピュータ２６は、ＣＰＵ、メモリ（ＲＡＭ）及び記憶装置（ＲＯＭ）を有するマイコンによって構成されており、車載ヘッド２７による光ビーコン４との路車間通信の制御処理を行う。
【００３５】
〔路車間通信〕
図５は、通信領域Ａにおいて、ビーコンヘッド８と車載ヘッド２７との間で行われる双方向での路車間通信の手順を示している。以下、図５を参照しつつ、本実施形態の路車間通信の内容を説明する。
まず、光ビーコン４のビーコン制御機７は、各車線Ｒ１〜Ｒ４に対応するビーコンヘッド８から、ダウンリンクの切り替え前の第一情報として、車線通知情報を含む第一のダウンリンク情報３４を、各車線Ｒ１〜Ｒ４のダウンリンク領域ＤＡに所定の送信周期で常に送信し続けている（図５のＦ１）。なお、この段階では、車線通知情報には未だ車両ＩＤは格納されていない。
【００３６】
車載機２を搭載した車両Ｃが実際のアップリンク領域ＵＡの上流側部分に進入すると、すなわち、車両Ｃが図３に示す上流端ｃを通過すると、車載ヘッド２７が車線通知情報（車両ＩＤ無し）を含む第一のダウンリンク情報３４を受信する。
この際、車載機２の車載コンピュータ２６は、当該車両Ｃが実際の通信領域Ａ内に存在していることを認識する。その後、車載コンピュータ２６は、アップリンク情報３５の送信を開始し（図５のＦ２）、このアップリンク情報３５をビーコンヘッド８に対して所定の送信周期で送信する（図５のＦ３）。
【００３７】
車載コンピュータ２６は、車両Ｃの車載機２に付与される特定の車両ＩＤを上記アップリンク情報３５に格納して当該アップリンク情報３５を送信し、ビーコン間の旅行時間情報を有している場合には、この情報もアップリンク情報３５に含ませる。また、車載コンピュータ２６は、光ビーコン４のビーコン制御機７がダウンリンクの切り替えを行ったことを認識するまで、当該アップリンク情報３５を送信し続ける。
その後、車両Ｃが車両感知器５の感知領域Ｋに達すると、車両感知器５のセンサ制御機１６が、その車両Ｃが走行する車線Ｒ１〜Ｒ４にそれぞれ対応する車両感知信号ｓ１〜４のいずれかをビーコン制御機７に送信する。
【００３８】
本実施形態では、ビーコン制御機７は、車両ＩＤを含むアップリンク情報３５を受信すると（図５のＦ４）、ダウンリンクの切り替えを行う。
ビーコン制御機７は、上記ダウンリンクの切り替え後の第二情報として、アップリンク情報３５に格納された車両ＩＤ情報を含む第二のダウンリンク情報３６を生成する（図５のＦ５）。
第二のダウンリンク情報３６には、車載コンピュータ２６に自車両が走行する車線を認識させるための車線通知情報の他、渋滞情報、区間旅行時間情報、事象規制情報、及び、ドライバに対する安全運転支援のための支援情報等が含まれている。
上記車線通知情報は、アップリンク情報３５から取得した車両ＩＤ情報を含んでいる。この車両ＩＤ情報には、当該アップリンク情報３５を受信したビーコンヘッド８に対応する車線番号が、車両感知器５により送信される車両感知信号ｓ１〜ｓ４の受信結果を考慮して対応付けられている。
なお、この車線通知情報を含む第二のダウンリンク情報３６、及びこれに基づくビーコン制御機７による車線番号を認識するための方法の詳細な説明については後述する。
【００３９】
ビーコン制御装置７は、第二のダウンリンク情報３６を生成した後、ダウンリンクの切り替えを行って、第二のダウンリンク情報３６の送信を開始し（図５のＦ６）、この第二のダウンリンク情報３６の送信を所定時間内において可能な限り繰り返す（図５のＦ７）。
【００４０】
図５に示すように、第二のダウンリンク情報３６は、単一又は複数の最小フレーム３７で構成されている。前記「近赤外線式インタフェース規格」によれば、この最小フレーム３７のデータ量は合計１２８バイトと規定され、ヘッダ部３８に５バイト、実データ部３９に１２３バイトが割り当てられている。
前記規格によれば、第二のダウンリンク情報３６は、１〜８０個の最小フレーム３７で構成することができ、送信可能時間は２５０ｍｓに設定されている。また、このダウンリンク情報３６は送信すべき情報量に対応した任意数の最小フレーム３７で構成され、上記送信可能時間の範囲内で繰り返し送信される。
【００４１】
最小フレーム３７の送信周期は約１ｍｓである。従って、例えば、三つの最小フレーム３７で一つのダウンリンク情報３６を構成する場合には、ダウンリンク情報３６の送信周期は約３ｍｓになるので、当該ダウンリンク情報３６は所定の送信可能時間（２５０ｍ）の間に約８０回繰り返して送信されることになる。
車載機２の車載コンピュータ２６は、第二のダウンリンク情報３６を受信した時点（図５のＦ８）で光ビーコン４でのダウンリンクの切り替えを認識し、この時点でアップリンク情報３５の送信を停止する。
【００４２】
そして、車載コンピュータ２６は、受信した第二のダウンリンク情報３６に含まれる車線通知情報に格納された自車両の車両ＩＤ情報を参照し、その自車両の車両ＩＤに対応付けられている車線番号を取得することで、自車両が走行している車線番号を認識する（図５のＦ９）。そして、車載コンピュータ２６は、自車両が走行している車線番号、及びその他ドライバに対する安全運転支援のための支援情報等に基づいて、ドライバに対する安全運転支援を行う。
以下、上述の車線通知情報を含む第二のダウンリンク情報３６、及びこれに基づくビーコン制御機７による車線番号の認識方法、及び安全運転支援について説明する。
【００４３】
〔第二のダウンリンク情報〕
図６は、車線通知情報を含んだ第二のダウンリンク情報３６を説明するための模式図である。ここで、各車線Ｒ１〜Ｒ４には、車線番号として、それぞれ「１」〜「４」が付与されているものとする。
ビーコン制御機７によって生成され、ビーコンヘッド８より送信される第二のダウンリンク情報３６は、上述のように、単一又は複数の最小フレーム３７よりなり、これら最小フレーム３７によって、各種データ５０とともに、車線通知情報５１を含んで構成されている。この車線通知情報５１は、図のように、車線Ｒ１〜Ｒ４を示す車線番号ごとに車両ＩＤを格納する格納フィールド５２を有しており、各車両ＩＤに対して車線番号を対応付けることができる。このため、異なる車線Ｒ１〜Ｒ４を走行する各車両の車載コンピュータ２６は、受信した第二のダウンリンク情報３６の内、格納フィールド５２中のいずれに自車両の車両ＩＤが格納されているかを判断することにより、自車両が車線Ｒ１〜Ｒ４の内のいずれの車線を走行しているかを認識できる。
【００４４】
図６では、車線Ｒ１と車線Ｒ３の通信領域Ａに、それぞれ車両Ｃ１，Ｃ３が存在している場合を示しており、これら車両Ｃ１，Ｃ３の車載機２は、車線Ｒ１，Ｒ３に配置されたビーコンヘッド８に対して、自身の車両ＩＤ（例えば、ｃ１，ｃ３）を含んだアップリンク情報３５を送信する。これらアップリンク情報３５を受信した結果、ビーコン制御機７によって生成され、ビーコンヘッド８より送信される第二のダウンリンク情報３６は、車両Ｃ１，Ｃ３の車両ＩＤ「ｃ１」，「ｃ３」が、それぞれ、格納フィールド５２中の車線Ｒ１を示す車線番号「１」の位置、及び、車線Ｒ３を示す車線番号「３」の位置に格納されている。
また、アップリンク情報３５を受信していないビーコンヘッド８に対応する車線においては、車両がいないと判断される。この車両がいないと判断した車線については、車両ＩＤの代わりに０を格納する。このため、図６においては、格納フィールド５２中の車線Ｒ２を示す車線番号「２」の位置、及び車線Ｒ４を示す車線番号「４」の位置に、０が格納されている。
【００４５】
〔ビーコン制御機による車線番号の認識方法〕
次に、ビーコン制御機７が、車両ＩＤに対して車線番号を対応付ける具体的な態様について説明する。図７は、図５中、Ｆ４からＦ５に示されるビーコン制御機７が行う処理の手順の詳細を示すフローチャートである。
まず、ビーコン制御機７は、上述のように、車両の車載機２に付与される特定の車両ＩＤが格納されたアップリンク情報３５を受信する（図７のＦ４）。
次に、ビーコン制御機７の同一ＩＤ判断部７ａは、受信したアップリンク情報３５の内、同一の車両ＩＤを含むアップリンク情報３５が複数のビーコンヘッド８によって受信されたかどうかを判断する（図７のＦ５−１）。もし、一の車両ＩＤが一のビーコンヘッド８のみで受信されていると判断した場合、ビーコン制御機７は、当該車両ＩＤに、対応する車線番号を対応付け、第二のダウンリンク情報３６を生成する（同Ｆ５−２）。
【００４６】
一方、ビーコン制御機７の同一ＩＤ判断部７ａが、同一の車両ＩＤを含むアップリンク情報３５が複数のビーコンヘッド８にて受信されたと判断した場合（同Ｆ５−１）、ビーコン制御機７は、同一の車両ＩＤを含んだアップリンク情報３５を受信した複数のビーコンヘッド８に対応する各車線の車線番号の全てを、一時的に記憶部７ｂに格納する（同Ｆ５−３）。
【００４７】
次に、ビーコン制御機７の感知車線番号取得部７ｃは、車両感知器５により送信される信号の受信結果を参照し、この受信結果に基づいて、車両が感知された車線の車線番号である感知車線番号を取得する（同Ｆ５−４）。
さらに、ビーコン制御機７の選択部７ｄは、記憶部７ｂに格納したアップリンク情報３５に基づく車線番号の中から、感知車線番号取得部７ｃにより取得された感知車線番号と同一の車線番号を選択し、この選択された車線番号を当該車両ＩＤに対応付けて（同Ｆ５−５）車線通知情報５１を生成し、この車線通知情報５１を含めたダウンリンク情報３６を生成する（同Ｆ５−２）。
【００４８】
例えば、図６のように、車線Ｒ１に車両Ｃ１が存在し、この車両Ｃ１が送信するアップリンク情報３５が、車線Ｒ１に対応するビーコンヘッド８と、車線Ｒ２に対応するビーコンヘッド８の両方で受信された場合における、ビーコン制御機７の処理についての具体例について、以下に説明する。
この場合、車線Ｒ１、Ｒ２のビーコンヘッド８がアップリンク情報を受信したので、ビーコン制御機７は、車両Ｃ１の車両ＩＤ「ｃ１」に対応する車線番号として、「１」と「２」の両方を一時的に記憶部７ｂに格納する。
図６において、車線Ｒ１には車両Ｃ１が存在しているが、車線Ｒ２には、車両は存在していない。このため、ビーコン制御機７には、車両感知器５から車線Ｒ１に車両が存在していることを示す車両感知信号ｓ１が送信される。一方、車線Ｒ２に車両が存在していることを示す車両感知信号ｓ２は送信されない。これによって、ビーコン制御機７の感知車線番号取得部７ｃは、感知車線番号「１」を取得し、車線Ｒ１には車両が存在し、車線Ｒ２には車両が存在していないことを確認することができる。そして、この結果に基づいて、記憶部７ｃの中から車線Ｒ１を示す車線番号「１」を選択する。
そして、上記のように、車線番号「１」及び「２」の中から、「１」が選択されたので、ビーコン制御機７は、車線通知情報５１の格納フィールド５２中の車線Ｒ１を示す車線番号「１」の位置に、車両Ｃ１の車両ＩＤ「ｃ１」を格納した第二のダウンリンク情報３６を生成する。
【００４９】
〔車載コンピュータの処理内容（安全運転支援）〕
前記車線通知情報を含む第二のダウンリンク情報３６を車載ヘッド２７が受信すると、車載コンピュータ２６は、そのダウンリンク情報３６の車線通知情報５１を参照し、自身の車両ＩＤが格納されていることを確認することで、自身に送信されている第二のダウンリンク情報３６であることを認識するとともに、当該車両ＩＤに対応付けられている車線番号を取得し、自車両が走行している車線を認識する。
【００５０】
次に、車載コンピュータ２６は、上記で認識した自車両が走行している車線の情報に基づいて、ドライバに対する安全運転支援を行う。
例えば、車載コンピュータ２６が、目的地への道順として右折を想定しているにもかかわらず、車両が直進車線を走行している場合、ドライバに対して、ディスプレイ２８やスピーカ装置２９によって、車線変更を促すこともできるし、車載コンピュータ２６自身が、車両の走行を制御して自動的に車線変更を行うこともできる。
【００５１】
上記のように構成された本実施形態の路車間通信システムによれば、同一の車両ＩＤを含むアップリンク情報３５が複数のビーコンヘッド８で受信されると、ビーコン制御機７の感知車線番号取得部により取得された感知車線番号と同一の車線番号を選択し、この選択された車線番号を当該車両ＩＤに対応付けるので、感知領域Ｋに車両が存在、又は感知領域Ｋを車両が通過していない車線番号は、車両ＩＤに対応付けられることがない。このため、車両が実際に走行している車線番号のみを車両ＩＤに対応付けた車線通知情報を得ることができる。よって、この車線通知情報を含むダウンリンク情報３６を受信した車載機２は、自身の走行している車線を誤認することなく、より高い精度で認識することができる。従って、車載機２は、ドライバーに対して正確な指示を行うことができ、適切な安全運転支援を行うことができる。
特に、車載コンピュータ２６が、車両の走行を自動制御している場合には、本発明によって車線を正確に認識し、自動的に車線変更等を行うことが可能となり、大変有用である。
【００５２】
また、本実施形態では、車両感知器５の感知領域Ｋを、アップリンク領域ＵＡの領域内に設定したので、ビーコンヘッド８が受信したアップリンク情報３５を送信した車両がアップリンク領域ＵＡ内に存在しているか否かを判断できるので、ビーコン制御機７は、より高い精度で、アップリンク情報３５を送信した車両が走行している走行車線を認識することができる。
【００５３】
〔第二実施形態〕
図８は、本発明の第二実施形態の路車間通信システムを示している。
本実施形態のシステムが第一実施形態のシステム（図３）と異なる点は、車両感知器５として、アップリンク領域ＵＡの上流端ｃよりも上流側に感知領域Ｋが設定された感知センサ（上流側センサ）４２を有する点にある。
本実施形態では、この感知センサ（上流側センサ）４２による車両感知信号ｓ１〜ｓ４は、アップリンク領域ＵＡに進入する直前にある車両Ｃが位置する車線の車線番号をビーコン制御機７に事前に認識させることができる。
【００５４】
図９は、本実施形態において、車両ＩＤに対して車線番号を対応付けるビーコン制御機７の処理の手順を示すフローチャートである。
車両感知器５の感知領域Ｋは、アップリンク領域ＵＡの上流端よりも上流側に設定されているので、車両感知器５は、ビーコン制御機７がアップリンク情報３５を受信する前に車両を感知し、ビーコン制御機７に対して車両感知信号を送信する。
ビーコン制御機７の感知車線番号取得部７ｃは、車両Ｃがアップリンク領域ＵＡに進入する前に、車両感知器５からの車両感知信号の受信結果を参照し、この受信結果に基づいて、車両が感知された車線の感知車線番号を取得する（同Ｆ５−６）。そして、前記で取得した感知車線番号を一時的に記憶部７ｂに格納する（同Ｆ５−７）。これにより、ビーコン制御機７は、アップリンク領域ＵＡに進入する直前にある車両Ｃがどの車線に存在しているのかを把握できる。
なお、このとき記憶部７ｂに格納された感知車線番号は、感知領域Ｋを通過した後、アップリンク領域ＵＡを通過する時間と同程度経過した段階（例えば１００ｍｓ後）で消去される。走行する車両Ｃによって感知センサ４２が感知した後、車両Ｃがアップリンク領域ＵＡを通過してしまうと、記憶部７ｂに記憶された車両Ｃの感知車線番号の情報は不要となるからである。
【００５５】
次に、ビーコン制御機７は、車両の車載機２に付与される特定の車両ＩＤが格納されたアップリンク情報３５を受信する（図７のＦ４）。
次に、ビーコン制御機７の同一ＩＤ判断部７ａは、受信したアップリンク情報３５の内、同一の車両ＩＤを含むアップリンク情報３５が複数のビーコンヘッド８によって受信されたかどうかを判断する（図７のＦ５−８）。もし、一の車両ＩＤが一のビーコンヘッド８のみで受信されていると判断した場合、ビーコン制御機７は、当該車両ＩＤに、対応する車線番号を対応付け、第二のダウンリンク情報３６を生成する（同Ｆ５−１０）。
【００５６】
一方、ビーコン制御機７の同一ＩＤ判断部７ａが、同一の車両ＩＤを含むアップリンク情報３５が複数のビーコンヘッド８にて受信されたと判断した場合（同Ｆ５−８）、ビーコン制御機７の選択部７ｄは、アップリンク情報３５を受信した複数のビーコンヘッド８に対応する車線番号の中から、感知車線番号取得部７ｃにより取得され記憶部７ｂに格納された感知車線番号と同一の車線番号を選択し、この選択された車線番号を当該車両ＩＤに対応付けて（同Ｆ５−９）車線通知情報５１を生成し、この車線通知情報５１を含めたダウンリンク情報３６を生成する（同Ｆ５−１０）。
【００５７】
上記のように構成された本実施形態によれば、アップリンク領域ＵＡに進入する直前にある車両Ｃが位置する車線の車線番号を、ビーコン制御機７に事前に認識させることができる。すなわち、ビーコン制御機７は、車両Ｃが位置する車線の車線番号を認識した後にアップリンク情報３５を受信し、第二のダウンリンク情報３６を生成するので、確実に車両感知器５の感知信号を第二のダウンリンク情報３６に反映させることができる。
【００５８】
〔第三実施形態〕
図１０は、本発明の第三実施形態の路車間通信システムを示している。
本実施形態のシステムが第一実施形態（図３）のシステムと異なる点は、ダウンリンク領域の上流側において車両Ｃを感知する車両感知器５として、赤外線感知方式のものが採用されている点にある。
また、本実施形態では、車両感知器５を構成する感知センサ４３が、ビーコンヘッド８の筐体９に収納されているとともに、ビーコン制御機７のセンサ用インタフェースに接続されている。
【００５９】
上記赤外線感知方式の感知センサ４３は、検知対象が発する赤外線をパッシブに検出して車両Ｃを感知するものであり、具体的にはサーモパイル素子より構成されている（特許第３７１９４３８号公報参照）。
このサーモパイル素子は、放射温度計測に使用する赤外線検出素子の一種であり、原理は熱電対と同じであり、入射する赤外線に応じて温接点と冷接点の間に生じる温度差により定常的な出力電圧を自発的に発生させる。このため、自己消費電流がなく、小型化及び低消費電力化に適するという特徴があり、太陽電池で駆動することができる。
【００６０】
また、上記赤外線検知方式の感知センサ４３の場合には、車両Ｃを斜め方向からでも検出できるため（上記特許公報の図１９及び図２２参照）、設置場所の制約が少ない。
このため、本実施形態では、ＬＥＤ１０やフォトセンサ１１とともにビーコンヘッド８の筐体９内に感知センサ４３を収納し、この状態で、感知領域Ｋがアップリンク領域ＵＡの領域内となるように、当該感知センサ４３の向きを設定するようにしている。従って、本実施形態では、車両感知器５の感知センサ４３を設置するための専用の支柱や梁（図２の支柱１７及び架設バー１８）を設ける必要がなく、システムを安価に構成することができる。
【００６１】
本発明は、上記各実施形態に限定されるものではない。
例えば、上記各実施形態では、車両感知器５の感知センサについて、感知センサ（領域内センサ）１５と、感知センサ（上流側センサ）４２とを個別的に設けたものを示したが、これら両センサ１５，４２を両方備えた構成とすることもできる。
【００６２】
また、上記実施形態において、ビーコン制御機７が車両ＩＤに対応付けるための車線番号を選択してダウンリンク情報に含める処理については、上記実施形態に限定されるものではなく、同一の車両ＩＤを含んだ複数のアップリンク情報３５に対応する車線の車線番号の中から、車両感知器５により車両の存在が感知された車線の感知車線番号と同一の車線番号を選択することができれば、その処理の順序は適宜入れ替えて行ってもよいし、処理の態様を適宜変更することもできる。
【図面の簡単な説明】
【００６３】
【図１】第一実施形態の路車間通信システムの全体構成を示すブロック図である。
【図２】光ビーコン及び車両感知器の平面図である。
【図３】光ビーコンの通信領域と車両感知器の感知領域の位置関係を示す側面図である。
【図４】光ビーコン、及び、これと路車間通信する車載機が搭載された車両Ｃの概略構成図である。
【図５】通信領域で行われる路車間通信の手順とデータ内容を示す概念図である。
【図６】車線通知情報を含んだ第二のダウンリンク情報を説明するための模式図である。
【図７】図５中、Ｆ４からＦ５に示されるビーコン制御機が行う処理の手順の詳細を示すフローチャートである。
【図８】第二実施形態の路車間通信システムの平面図である。
【図９】第二実施形態において、車両ＩＤに対して車線番号を対応付けるビーコン制御機の処理の手順を示すフローチャートである。
【図１０】第三実施形態の路車間通信システムの側面図である。
【符号の説明】
【００６４】
１      交通管制システム
２      車載機
４      光ビーコン
５      車両感知器
７ｃ    感知車線番号取得部
７ｄ    選択部
８      ビーコンヘッド（投受光器）
９      筐体
１０    発光ダイオード（ＬＥＤ）
１１    フォトセンサ
１５    感知センサ
２７    車載ヘッド（投受光器）
３４    第一のダウンリンク情報
３５    アップリンク情報
３６    第二のダウンリンク情報
４２    感知センサ
４３    感知センサ（赤外線感知方式）
Ｃ      車両
Ｒ      道路
Ｒ１    車線
Ｒ２    車線
Ｒ３    車線
Ｒ４    車線
ＵＡ    アップリンク領域（通信領域）
Ｋ      感知領域 
ｂ      アップリンク領域（通信領域）の下流端
ｃ      アップリンク領域（通信領域）の上流端
【図１】
2008140121.tif 000003
【図２】
2008140121.tif 000004
【図３】
2008140121.tif 000005
【図４】
2008140121.tif 000006
【図５】
2008140121.tif 000007
【図６】
2008140121.tif 000008
【図７】
2008140121.tif 000009
【図８】
2008140121.tif 000010
【図９】
2008140121.tif 000011
【図１０】
2008140121.tif 000012